(57)【要約】【課題】  薄型でありながら放熱性に優れた照明装置を提供する。【解決手段】  照明装置１であって、前方に光を出射させる光源３と、光源３の前方外側を覆うリフレクタ４と、リフレクタ４の前方側に配置される光学部材５と、を備え、リフレクタ４の外周部に設けられる放熱フィン４１ｂを有する。リフレクタ４は、放熱フィン４１ｂが設けられるヒートシンク部４１と、光学部材５を保持するホルダー部４２とを有し、ヒートシンク部４１よりも前記ホルダー部４２の方が、熱伝導性の小さい材料を用いて成形されている。【選択図】図１
2016129090.tif 000002
【特許請求の範囲】
【請求項１】
照明装置であって、
前方に光を出射させる光源と、
前記光源の前方外側を覆うリフレクタと、
前記リフレクタの前方側に配置される光学部材と、を備え、
前記リフレクタの外周部に設けられる放熱フィンを有することを特徴とする照明装置。
【請求項２】
前記リフレクタは、前記放熱フィンが設けられるヒートシンク部と、前記光学部材を保持するホルダー部とを有し、
前記ヒートシンク部よりも前記ホルダー部の方が、熱伝導性の小さい材料を用いて成形されていることを特徴とする請求項１に記載の照明装置。
【請求項３】
前記ヒートシンク部を構成する材料が、金属材料であり、
前記ホルダー部を構成する材料が、樹脂材料であることを特徴とする請求項２に記載の照明装置。
【請求項４】
前記ヒートシンク部の放熱フィンが、前後方向に延びるように形成されていることを特徴とする請求項２または請求項３に記載の照明装置。
【請求項５】
前記リフレクタの一部が、前記光源が含む基板の前面に接触していることを特徴とする請求項１から請求項４のいずれか１項に記載の照明装置。
【請求項６】
前記光源が、ＣＯＢタイプのＬＥＤであることを特徴とする請求項５に記載の照明装置。
【請求項７】
照明装置であって、
前方に光を出射させる光源と、
前記光源の前方外側を覆うリフレクタと、
前記リフレクタの前方側に配置される光学部材と、を備え、
前記光源は、中央部に発光ダイオードが実装された基板を有し、
前記光源の基板の前面に、前記リフレクタの一部を接触させていることを特徴とする照明装置。
【発明の詳細な説明】
【技術分野】
【０００１】
本発明は、照明装置に関する。
【背景技術】
【０００２】
従来から、リフレクタを備えた照明装置が提案されている（例えば特許文献１及び特許文献２）。特許文献１には、光源を囲うリフレクタの前方側の開口に、平板状のレンズを配置してなる照明装置が開示されている。また、特許文献２には、光源の前方にリフレクタを配置するとともに、光源の後方にヒートシンクを配置してなる照明装置が開示されている。ここで、特許文献１の光源の後方に特許文献２のヒートシンクを配置させることにより、配向の制御が可能で放熱性に優れた照明装置を実現することができる。
【先行技術文献】
【特許文献】
【０００３】
【特許文献１】特開２０１１−１５１２１８号公報
【特許文献２】特開２０１３−  ３０５９９号公報
【発明の概要】
【発明が解決しようとする課題】
【０００４】
しかしながら、光源の後方にヒートシンクを配置した場合には、照明装置が厚くなり、照明装置の薄型化が阻害されるという問題が生じる。
【０００５】
本発明はこのような問題に鑑みて行われたものであり、薄型でありながら放熱性に優れた照明装置を提供することを目的とする。
【課題を解決するための手段】
【０００６】
上記課題を解決するために、（１）本発明は、照明装置であって、前方に光を出射させる光源と、前記光源の前方外側を覆うリフレクタと、前記リフレクタの前方側に配置される光学部材と、を備え、前記リフレクタの外周部に設けられる放熱フィンを有する。
（２）上記（１）において、前記リフレクタは、前記放熱フィンが設けられるヒートシンク部と、前記光学部材を保持するホルダー部とを有し、前記ヒートシンク部よりも前記ホルダー部の方が、熱伝導性の小さい材料を用いて成形されている。
（３）前記ヒートシンク部を構成する材料が、金属材料であり、前記ホルダー部を構成する材料が、樹脂材料である。
（４）上記（２）又は（３）において、前記ヒートシンク部の放熱フィンが、前後方向に延びるように形成されている。
（５）上記（１）〜（４）のいずれか１において、前記リフレクタの一部が、前記光源が含む基板の前面に接触している。
（６）上記（５）において、前記光源が、ＣＯＢタイプのＬＥＤであることが好ましい。
（７）本発明は、照明装置であって、前方に光を出射させる光源と、前記光源の前方外側を覆うリフレクタと、前記リフレクタの前方側に配置される光学部材と、を備え、前記光源は、中央部に発光ダイオードが実装された基板を有し、前記光源の基板の前面に、前記リフレクタの一部を接触させている。
【図面の簡単な説明】
【０００７】
【図１】本発明の実施形態に係る照明装置の断面図である。
【図２】本発明の実施形態に係る照明装置の一部破断させた状態の斜視図である。
【図３】本発明の実施形態に係る照明装置の分解斜視図である。
【発明を実施するための形態】
【０００８】
以下、添付図面を参照して、本発明を実施するための形態（以下、実施形態）について詳細に説明する。なお、実施形態の説明の全体を通して同じ要素には同じ番号を付している。
【０００９】
図１は本発明の実施形態に係る照明装置の断面図である。図２は本発明の実施形態に係る照明装置の一部破断させた状態の斜視図である。図３は本発明の実施形態に係る照明装置の分解斜視図である。
【００１０】
図１〜図３に示すように、本発明の実施形態に係る照明装置１は、後方（図示下側）からベース２（図中の板金）と、ベース２の前面の中央部に配置される光源（ＬＥＤ（Ｌｉｇｈｔ  Ｅｍｉｔｔｉｎｇ  Ｄｉｏｄｅ）ベース基板３１とＬＥＤ発光部３２）３と、ベース２の前面に配置され外側から光源３を囲う（光源の前方外側を囲う）リフレクタ（ヒートシンク部４１とホルダー部４２）４と、リフレクタ４の前方側の開口部に配置される光学部材（レンズ）５と、を備えている。なお、ベース２と光源３間、および、光源３とリフレフタ４間には、熱伝導シート（またはグリス）６、７が適宜配置されている。
【００１１】
ベース２は、例えば放熱性に優れた板金を用いて、円板状に形成されている。
光源３は、ＣＯＢ（Ｃｈｉｐ  ｏｎ  Ｂｏａｒｄ）タイプのＬＥＤであり、矩形状（他の形状、例えば、円形状であってもよい）のＬＥＤベース基板３１と、ＬＥＤベース基板３１の前面の中央部に発光ダイオードが実装され、円形状に形成されるＬＥＤ発光部３２とを有している。ＬＥＤ発光部３２は、複数のＬＥＤチップと、蛍光体を含有し複数のＬＥＤチップを覆う封止樹脂と、を含んでいる。ＬＥＤ発光部３２は、前方（図示上方）に向かって光を出射する。
【００１２】
リフレクタ４は、光源３の前方外側を覆い、外径がベース２の外径と略一致させた低背円筒状に形成されている。リフレクタ４の内側（光軸側）後方には、光源３のＬＥＤ発光部３２を露出させる円形状の第１開口部４１ａと、前方に向かうほど拡開し光の反射面として機能する傾斜面４２ａと、傾斜面４２ａの前方端側に形成される円形状の第２開口部４２ｂと、有している。なお、第２開口部４２ｂには、光学部材５の外周部を保持する段部４２ｃが形成されている。また、本実施形態では、リフレクタ４は、後方側に位置し放熱部として機能し、放熱フィン４１ｂが設けられるヒートシンク部４１と、ヒートシンク部４１の前方に位置し、反射体と機能するとともに光学部材としてのレンズを保持する機能を有するホルダー部４２と、を有している。
【００１３】
ヒートシンク部４１は、伝熱性に優れた部材（例えば、金属材料、本実施形態では、アルミニウム）を用いて形成され、中央部に第１開口部４１ａを構成する開口を有する円板状の基部４１ｃと、基部４１ｃの外周側の前面であって、リフレクタ４の外周部に設けられた複数の放熱フィン４１ｂと、を有している。放熱フィン４１ｂの各々は、外周面から内側に向かうとともに前後方向（光軸方向）に延びるように設けられている、すなわち、基部４１ｃの外周側において、基部４１ｃの前面から前方に延びるように設けられている。また、放熱フィン４１ｂの各々は、平面視して、光源３のＬＥＤベース基板３１よりも外側の部分において、光源３のＬＥＤベース基板３１の４つの辺に直交するように設けられている。さらに、各放熱フィン４１ｂの内周側の前方部分には、リフレクタ４の反射面の形状に対応して傾斜面（符号なし）が形成されている。
【００１４】
また、ヒートシンク部４１は、その後方面（裏面）に、光源３のＬＥＤベース基板３１の外側部（ＬＥＤ発光部３２が配置されていない部分）が配置される段部４１ｄが形成されている（断面図を参照）。これにより、ヒートシンク部４１の一部を光源３のＬＥＤベース基板３１の前面に接触させることができ、光源３のＬＥＤ発光部３２において発生した熱をヒートシンク部４１に効率的に逃がすことができる。なお、本実施形態では、前述したように、ヒートシンク部４１への放熱性をより向上させるために、ヒートシンク部４１と光源３の接触面に熱伝導シート（またはグリス）７を介在させている。
【００１５】
なお、ヒートシンク部４１には、回転対称な２か所の位置に切り欠き４１ｅが設けられているが、これは、光源３のＬＥＤベース基板３１上に形成されている接続端子（不図示）との干渉を回避するためのものであり、本発明にとって本質的なものではない。
【００１６】
次に、ホルダー部４２は、ヒートシンク部４１に比べて伝熱性の悪い部材を用いて形成されている。つまり、ヒートシンク部４１よりもホルダー部４２の方が、熱伝導性の小さい材料を用いて成形されている。例えば、本実施形態では、ホルダー部４２を構成する材料が、白色のポリカーボネートなどの樹脂材料であり、ヒートシンク部４１を構成する材料が金属である。これにより、光源３からヒートシンク部４１に伝わった熱が、ホルダー部４２を介して光学部材５に伝わり難くすることができる。すなわち、熱による光学部材５の劣化を抑制することができる。特に、本実施形態では、前後方向に延びる複数の放熱フィン４１ｂがヒートシンク部４１に設けられているので、ホルダー部４２とヒートシンク部４１の接触面積を小さくすることができる。これにより、ヒートシンク部４１からホルダー部４２に熱が更に伝わり難くなり、熱による光学部材５の劣化をより一層抑制することができる。
【００１７】
光学部材５は、光源から出射された光の配向を制御するフレネルレンズを用いることが好ましい。
【００１８】
上記実施形態の照明装置１は、樹脂材料からなるリフレクタを用いた場合と比較して、光源の温度の上昇を１０℃ほど抑制できることが熱解析によって明らかになった。
【００１９】
次に本発明の実施形態に係る照明装置の変形例について説明する。上記実施形態では、光源３のＬＥＤベース基板３１の前面にリフレクタ（ヒートシンク部）４の一部を接触させているが、本発明においては、リフレクタ４の放熱効果が十分に得られる場合には、必ずしも接触させる必要はない。
【００２０】
また、リフレクタ４に熱伝導性に優れた材料を用いるとともに、光源３のＬＥＤベース基板３１の前面にリフレクタ４の一部を接触させることによって、放熱効果が十分に得られる場合には、リフレクタ４に放熱フィン４１ｂを設ける必要はない。この場合、リフレクタ（ヒートシンク部４１およびホルダー部４２）４を、同一部材を用いて一体的に形成してもよい。
【００２１】
上記実施形態では、リフレクタ４を円筒状に形成しているが、各発明は任意に形状のリフレクタに適用することができる。光学部材５は、フレネルレンズに限定されず、例えば、拡散性を有する部材であってもよい。上記実施形態では、ベース２は板金で構成しているが、例えば、後方（裏面）または円筒の外周方向に放熱フィンを設けたヒートシンクであってもよい。
【００２２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２３】
１  照明装置
２  ベース
３  光源
３１  ＬＥＤベース基板
３２  ＬＥＤ発光部
４  リフレクタ
４１  ヒートシンク部
４１ａ  第１開口部
４１ｂ  放熱フィン
４１ｃ  基部
４１ｄ  段部
４１ｅ  切り欠き部
４２  ホルダー部
４２ａ  傾斜面
５  光学部材
６、７  熱伝導シート
【図１】
2016129090.tif 000003
【図２】
2016129090.tif 000004
【図３】
2016129090.tif 000005